(57)【要約】【課題】  ２次元コード画像に装飾画像が重なった場合の制御を容易にすると共に、２次元コード画像を読み取り可能に配置することができる印刷画像作成装置、印刷画像作成方法およびプログラムを提供とする。【解決手段】  処理テープＴ上に、地紋画像１６１および／または網掛画像１６２から成る装飾画像１６０と、データ領域１６７およびこれを囲むマージン領域１６９から成る２次元コード画像１６３と、を印刷するための印刷画像１７５を作成する印刷画像作成装置２において、処理テープＴ上における２次元コード画像１６３および装飾画像１６０の位置を設定する位置設定手段２７による設定に基づいて、装飾画像１６０と２次元コード画像１６３との重複部分が生じた場合に、２次元コード画像１６３を装飾画像１６０に上書きするコード上書き編集手段を有している。【選択図】図８
2007034633.tif 000002
【特許請求の範囲】
【請求項１】
処理テープ上に、地紋画像および／または網掛画像から成る装飾画像と、データ領域およびこれを囲むマージン領域から成る２次元コード画像と、を印刷するための印刷画像を作成する印刷画像作成装置において、
前記２次元コード画像および前記装飾画像を記憶する記憶手段と、
前記記憶手段から前記２次元コード画像および前記装飾画像を読み出すと共に、前記処理テープ上における前記２次元コード画像および前記装飾画像の位置を設定する位置設定手段と、
前記位置設定手段による設定に基づいて、前記印刷画像を作成する印刷画像作成手段と、を備え、
前記印刷画像作成手段は、前記位置設定手段により、前記装飾画像と前記２次元コード画像との重複部分が生じた場合に、前記２次元コード画像を前記装飾画像に上書きするコード上書き編集手段を有していることを特徴とする印刷画像作成装置。
【請求項２】
前記コード上書き編集手段に代えて、
前記装飾画像と前記２次元コード画像との重複部分が生じた場合に、前記２次元コード画像を読み取れるように、前記装飾画像の少なくとも前記重複部分を薄刷り編集する薄刷り編集手段を有していることを特徴とする請求項１に記載の印刷画像作成装置。
【請求項３】
処理テープ上に、地紋画像および／または網掛画像から成る装飾画像と、データ領域およびこれを囲むマージン領域から成る２次元コード画像とを印刷するための印刷画像を作成する印刷画像作成方法において、
前記処理テープ上における前記２次元コード画像および前記装飾画像の位置を設定した状態で、前記２次元コード画像と、前記装飾画像との重複部分が生じた場合に、前記２次元コード画像を前記装飾画像に上書きを行って、前記印刷画像を作成することを特徴とする印刷画像作成方法。
【請求項４】
処理テープ上に、地紋画像および／または網掛画像から成る装飾画像と、データ領域およびこれを囲むマージン領域から成る２次元コード画像とを印刷するための印刷画像を作成する印刷画像作成方法において、
前記処理テープ上における前記２次元コード画像および前記装飾画像の位置を設定した状態で、前記装飾画像と前記２次元コード画像との重複部分が生じた場合に、前記２次元コード画像を読み取れるように、前記装飾画像の少なくとも前記重複部分を薄刷り編集する薄刷り編集を行って、前記印刷画像を作成することを特徴とする印刷画像作成方法。
【請求項５】
請求項１または２に記載の印刷画像作成装置における各手段としてコンピュータを機能させることを特徴とするプログラム。
【発明の詳細な説明】
【技術分野】
【０００１】
本発明は、処理テープに印刷される印刷画像を編集するための印刷画像作成装置、印刷画像作成方法およびプログラムに関するものである。
【背景技術】
【０００２】
従来、この種の印刷画像作成装置として、バーコードを入力する入力手段と、所望の網掛範囲を指定する装飾手段と、装飾手段により指定された網掛範囲に対して網掛書式情報に基づいて所定の範囲を有する網掛データを作成するデータ作成手段と、網掛データの中からバーコードおよびその両側に設けられるマージンとを含むバーコード領域に対応する網掛データを削除するデータ削除手段と、バーコード領域にバーコードデータを配置するデータ配置手段と、網掛データ及びバーコードデータを印刷する出力手段と、を備えたものが知られている（特許文献１参照）。
【０００３】
この場合、網掛データに基づく網掛画像とバーコード画像とが重なると、重複部分に対し、マージンを含むバーコード領域分だけ、一旦削除してから、再びバーコードを配置していた。このため、バーコードに網掛が付されることなく、バーコードの読取不良やミスが防止される。
【特許文献１】特開平９−３０９２２７号公報
【発明の開示】
【発明が解決しようとする課題】
【０００４】
しかしながら、このような印刷画像作成装置では、網掛データとバーコードデータが重なった場合、出力手段で印刷するまでのプロセスが多く、簡易な制御とすることができない問題があった。
【０００５】
本発明は、２次元コード画像に装飾画像が重なった場合の制御を容易にすると共に、２次元コード画像を読み取り可能に配置することができる印刷画像作成装置、印刷画像作成方法およびプログラムを提供することを課題とする。
【課題を解決するための手段】
【０００６】
本発明の印刷画像作成装置は、処理テープ上に、地紋画像および／または網掛画像から成る装飾画像と、データ領域およびこれを囲むマージン領域から成る２次元コード画像と、を印刷するための印刷画像を作成する印刷画像作成装置において、２次元コード画像および装飾画像を記憶する記憶手段と、記憶手段から２次元コード画像および装飾画像を読み出すと共に、処理テープ上における２次元コード画像および装飾画像の位置を設定する位置設定手段と、位置設定手段による設定に基づいて、印刷画像を作成する印刷画像作成手段と、を備え、印刷画像作成手段は、位置設定手段により、装飾画像と２次元コード画像との重複部分が生じた場合に、２次元コード画像を装飾画像に上書きするコード上書き編集手段を有していることを特徴とする。
【０００７】
また、本発明の印刷画像作成方法は、処理テープ上に、地紋画像および／または網掛画像から成る装飾画像と、データ領域およびこれを囲むマージン領域から成る２次元コード画像とを印刷するための印刷画像を作成する印刷画像作成方法において、処理テープ上における２次元コード画像および装飾画像の位置を設定した状態で、２次元コード画像と、装飾画像との重複部分が生じた場合に、２次元コード画像を装飾画像に上書きを行って、印刷画像を作成することを特徴とする。
【０００８】
この構成によれば、２次元コード画像は、すでにマージン領域を有しているため、装飾画像と２次元コード画像とが重なると、マージン領域を確保しつつ、装飾画像に２次元コード画像が上書きされる。このため、複数のプロセスを踏むことなく、上書きのみの処理で２次元コード画像を読み取り可能に配置することができる。
【０００９】
本発明の他の印刷画像作成装置は、上記のコード上書き編集手段に代えて、装飾画像と２次元コード画像との重複部分が生じた場合に、２次元コード画像を読み取れるように、装飾画像の少なくとも重複部分を薄刷り編集する薄刷り編集手段を有していることを特徴とする。
【００１０】
また、本発明の他の印刷画像作成方法は、処理テープ上に、地紋画像および／または網掛画像から成る装飾画像と、データ領域およびこれを囲むマージン領域から成る２次元コード画像とを印刷するための印刷画像を作成する印刷画像作成方法において、処理テープ上における２次元コード画像および装飾画像の位置を設定した状態で、装飾画像と２次元コード画像との重複部分が生じた場合に、２次元コード画像を読み取れるように、装飾画像の少なくとも重複部分を薄刷り編集する薄刷り編集を行って、印刷画像を作成することを特徴とする。
【００１１】
この構成によれば、２次元コード画像には、地紋画像および／または網掛画像が薄刷りされるため、マージン領域を空白にしなくとも２次元コード画像を読み取り可能に配置することができる。これにより、２次元コード画像が、地紋画像および／または網掛画像と重なったとしても見栄えのよい印刷画像を作成することができる。
【００１２】
本発明のプログラムは、上記の印刷画像作成装置における各手段としてコンピュータを機能させることを特徴とする。
【００１３】
この構成によれば、装飾画像と２次元コード画像とが重なった場合に、簡易な制御で２次元コード画像を読み取り可能に配置することができるプログラムを提供することができる。
【発明を実施するための最良の形態】
【００１４】
以下、添付の図面を参照しながら、本発明を適用した印刷システムについて説明する。図１に示すように、本実施形態の印刷システム１は、データ作成装置２と、印刷装置３と、これらを（ＵＳＢで）接続するケーブル４と、を備えており、データ作成装置２で作成した印刷データを、印刷装置３に供給し、印刷装置３に印刷データに基づく印刷画像を印刷させるものである。この印刷システム１は、複数種類の印刷装置３を接続可能に構成されている。
【００１５】
なお、本実施形態では、データ作成装置２と印刷装置３とをケーブル４を介して直接接続する構成であるが、インタフェースを介し、データ作成装置２および印刷装置３をネットワーク（インターネットやローカルエリアネットワーク）経由で接続させても良い。また、これらは、有線通信であるが、無線通信を利用することも可能である。
【００１６】
データ作成装置２は、パソコン等で構成されており、図２に示すように、ケーブル４を介して、印刷装置３に接続するためのＵＳＢインタフェース１１、一時的に記憶可能な記憶領域を有し、制御処理のための作業領域として使用されるＲＡＭ１２、各種記憶領域を有し、制御プログラムや各種データと併せて、作成した印刷データおよび印刷装置３の機種情報を記憶するハードディスク１３、ハードディスク１３に記憶されたプログラム等に基づいて、各種データを演算処理するＣＰＵ１４、これらを互いに接続するバス１５が備えられていると共に、キーボードやマウス等の入力装置１６、ＦＤドライブ１７やＣＤ−ＲＯＭドライブ１８等の各種ドライブ、入力した印刷データ等各種データやメッセージなどを表示するモニタディスプレイ１９等が備えられている。ハードディスク１３には、印刷データを作成するためのソフトウェア（印刷データ作成アプリケーション２０）がインストールされており、データ作成装置２では、印刷データ作成アプリケーション２０の起動によりモニタディスプレイ１９に表示される入力編集画面２１（図３参照）から、入力データの入力・編集を行うことにより、印刷データを作成できるようになっている。なお、入力データの編集を行わない場合は、入力データが印刷データとして扱われる。
【００１７】
図３に示すように、入力編集画面２１には、マウスポインタ２７と共に、入力データの入力・編集を行うための入力編集ウィンドウ２２、入力・編集結果に基づいて作成された印刷データの印刷イメージ２８（印刷画像のイメージ）を表示するイメージ表示ウィンドウ２３、基本操作を行うための基本操作ツールバー２４、入力データとして文字や図形などを入力するための入力ツールバー２５、入力データを編集するための編集ツールバー２６が表示される。したがって、キーボードによる入力データの入力・編集と併せ、マウス操作により、入力データの入力指示や使用する編集機能の選択設定が行えるようになっている。
【００１８】
基本操作ツールバー２４は、印刷データを新規作成するための新規作成ボタン３１、作成した印刷データを保存するための保存ボタン３２、保存した印刷データやＣＤ−ＲＯＭ等の記憶媒体５（図１参照）に記憶された印刷データを読み込み、入力データとして入力編集ウィンドウ２２に表示させる読込みボタン３３、入力編集ウィンドウ２２に表示中の入力データから作成された印刷データを印刷するための印刷ボタン３４等を有している。
【００１９】
入力ツールバー２５は、かな文字を入力するためのかな入力ボタン４１、直線や図形を入力するため各種図形入力ボタン４２、入力した入力データの背景に付する地紋を入力設定するための地紋設定ボタン４３、入力した入力データに網掛を付する網掛設定ボタン４４、入力した入力データに囲み形状の枠を付する外枠設定ボタン４５と、２次元コードを作成するための２次元コード作成ボタン４６等を有している。
【００２０】
編集ツールバー２６は、入力した図形の編集を行うための図形ツールバー５１、入力した文字の編集を行うための文字ツールバー５２、およびテーププリンタ（後述する）によるラベルを作成するためのラベル作成ツールバー５３で構成されている。図形ツールバー５１は、図形の輪郭線の種類や太さ、塗りつぶしを複数の選択肢から選択設定する３つのリストボックス６１ａ、６１ｂ、６１ｃ（プルダウンメニュー）と、図形に関する各種設定を行うためのウィンドウを表示させる図形設定ウィンドウ表示ボタン６２と、を有している。
【００２１】
文字ツールバー５２は、入力した文字のフォントやサイズを選択設定するリストボックス７１ａ、７１ｂ（プルダウンメニュー）と、入力した文字のスタイル（太字や斜体、下線付きなど）や、割付け（例えば、センタリング、右揃えなど）、縦書き・横書き設定、修飾文字（白抜きや縁取り）設定をそれぞれ行うための１４個の各種設定ボタン７２と、入力した文字に関する各種設定を行うためのウィンドウを表示させる文字設定ウィンドウ表示ボタン７３と、を有している。文字設定ウィンドウ表示ボタン７３をクリックする（マウスポインタ２７により選択する）と、文字設定画面が表示され、上記した文字のフォントやサイズ、スタイル等を設定できる他、「文字」設定機能により文字の塗りつぶし設定を、「グラデーション」設定機能により文字のグラデーション設定を、「間隔」設定機能により文字間隔の設定を行えるようになっている。
【００２２】
ラベル作成ツールバー５３は、作成するラベルの長さを入力した入力データに応じて自動設定する自動設定ボタン８１、作成するラベルの長さをスクロールバー８２により選択した所定長に設定する定長設定ボタン８３、（印刷データに基づいて）印刷する印刷画像の前に付す余白の長さを選択設定する余白設定リストボックス８４（プルダウンメニュー）、スクロールバー８５による選択した所定長に余白を設定するための余白設定ボックス８６の他、テーププリンタに装着されている処理テープＴ（後述する）のテープ幅を（印刷装置３との通信により）取得して、テープ幅表示ボックス８７に表示するテープ幅取得ボタン８８を有している。テープ幅表示ボックス８７には、スクロールバー８９が組み込まれており、テープ幅を手入力することも可能となっている。
【００２３】
次に印刷装置３について説明する。印刷装置３は、テーププリンタやインクジェットプリンタ、レーザープリンタ等のいずれによっても構成可能であるが、ここでは、印刷装置３としてテーププリンタを適用した場合について説明する。このテーププリンタ１０１は、印刷データに基づいて処理テープＴに印刷画像の印刷を行った後、印刷済みの処理テープＴを切断して、ラベルを作成するためのものである。
【００２４】
図４および図５に示すように、テーププリンタ１０１は、処理テープＴに対して印刷処理を行う装置本体１０２と、処理テープＴおよびインクリボンＲを収容し、装置本体１０２に着脱自在に装着されるテープカートリッジＣとを備えている。
【００２５】
装置本体１０２は、装置ケース１０３により外殻が形成され、その内部に広く印刷処理部１１０が構成されている。装置ケース１０３の前半部上面には、各種キー１０４を備えたキーボード１０５が配設されている。装置ケース１０３の後半部左上面には、開閉蓋１０６が広く設けられ、開閉蓋１０６の上面には、テープカートリッジＣの装着／非装着を視認するための覗き窓１０７が形成されると共に、開閉蓋１０６の前側にはこれを開放する蓋体開放ボタン１０８が設けられている。後半部右上面には、キーボード１０５からの入力結果等を表示する長方形のディスプレイ１０９が形成されている。
【００２６】
蓋体開放ボタン１０８を押して開閉蓋１０６を開放すると、その内部には、テープカートリッジＣが装着されるカートリッジ装着部１１１が窪入形成されており、カートリッジ装着部１１１には、テープカートリッジＣから繰り出される処理テープＴに印刷処理を行う印刷ヘッド１２１が配設されている（図５参照）。
【００２７】
装置ケース１０３の左側部には、カートリッジ装着部１１１と装置外部とを連通するテープ排出口１１２が形成され、このテープ排出口１１２に臨んで装置ケース１０３には、処理テープＴを切断するためのカッタユニット１１４が内蔵されている。カッタユニット１１４は、テープ排出口１１２に臨むように配設されており、モータ駆動（フルカッタモータ１１６）により、処理テープＴをハサミ形式で切断するフルカッタ１１５と、フルカッタ１１５に対してテープ送り方向下流側に配設され、切断されたテープ片Ｔａを強制的に排出する排出機構と、を備えている（図６参照）。
【００２８】
また、図示は省略するが、装置ケース１０３の右側部には、電源供給のための電源供給口と、図外のパーソナルコンピュータ等の外部装置と接続するためのコネクタ１１３（図２参照）が形成される。これにより、コネクタ１１３には、ケーブル４を介して、データ作成装置２と接続することができ、このデータ作成装置２によって生成された文字情報等に基づいて、印刷処理を行うことができるようになっている。また、両図では省略したが、装置ケース１０３の内部には、装置本体１０２を統括制御する制御部１１７（図６参照）を構成する回路基板が搭載されている。
【００２９】
カートリッジ装着部１１１には、発熱素子を有しヘッドカバー１２０に覆われた印刷ヘッド１２１と、後述するテープリール１３１の位置決めをする位置決め突起１２２と、テープカートリッジＣの処理テープＴおよびインクリボンＲを送り、印刷ヘッド１２１に対峙するプラテン駆動軸１２３、およびインクリボンＲを巻き取る巻取り駆動軸１２４とが、突設され、またカートリッジ装着部１１１の隅部には、複数のマイクロスイッチで構成されたテープ識別センサ１２５（図６参照）が設けられている。また、カートリッジ装着部１１１の底板の内側には、プラテン駆動軸１２３および巻取り駆動軸１２４を駆動する印刷送りモータ１２６（図６参照）や減速ギア列等（図示省略）が内蔵されている。
【００３０】
テープカートリッジＣは、カートリッジケース１３０の内部に、処理テープＴを巻回したテープリール１３１と、右下部にインクリボンＲを巻回したリボン繰出しリール１３２およびリボン巻取りリール１３３とを収容して構成されている。また、テープリール１３１の左下部には印刷ヘッド１２１を覆うヘッドカバー１２０に差し込むための貫通開口１３４が形成されている。さらに、処理テープＴとインクリボンＲとが重なる部分に対応し、上記のプラテン駆動軸１２３に嵌合して回転駆動するプラテンローラ１３５が配置されている。
【００３１】
テープカートリッジＣをカートリッジ装着部１１１に装着すると、ヘッドカバー１２０に貫通開口１３４が、位置決め突起１２２にテープリール１３１が、巻取り駆動軸１２４にリボン巻取りリール１３３が、プラテン駆動軸１２３にプラテンローラ１３５が、それぞれ差し込まれ、この状態で開閉蓋１０６を閉蓋すると、これに連動して、印刷ヘッド１２１が処理テープＴおよびインクリボンＲを挟み込んでプラテンローラ１３５に当接し、印刷待機状態となる。そして、データ作成装置で作成され、送られてきた印刷データに基づき、プラテン駆動軸１２３および巻取り駆動軸１２４が同期回転して、処理テープＴおよびインクリボンＲを送りながら、印刷ヘッド１２１により印刷処理が行われる。これと共に、リボン繰出しリール１３２から繰り出されたインクリボンＲは、貫通開口１３４の開口壁を周回してリボン巻取りリール１３３に巻き取られる。印刷処理後の処理テープＴは、印刷済み部分がフルカッタ１１５によりカットされ、カットされた処理テープＴがラベルとしてテープ排出口１１２から外部に排出される。
【００３２】
処理テープＴは、裏面に粘着剤層が塗着された記録テープＴ１と、この粘着剤層により記録テープＴ１に貼付された剥離テープＴ２とから構成されている。そして、処理テープＴは、記録テープＴ１を外側にし、かつ剥離テープＴ２を内側にしてロール状に巻回されてカートリッジケース１３０内に収容されている。処理テープＴには、テープ幅が６ｍｍから２４ｍｍまでの複数種のものが用意されている。カートリッジケースＣの裏面には、小さな複数の被検出孔（図示省略）が形成され、上記のテープ識別センサ１２５によってこの複数の被検出孔が識別され、処理テープＴの種別を識別できるようになっている。
【００３３】
次に、図６を参照し、テーププリンタ１０１の制御系の構成について説明する。テーププリンタ１０１は、データ供給インタフェース（ＤＳ−ＩＦ）１４０を有し、コネクタ１１３を介して外部（データ作成装置２）からの印刷データや各種指令等を入出力するためのデータ入出力部１４１と、キーボード１０５およびディスプレイ１０９を有し、ユーザによる文字情報の入力や各種情報の表示等のユーザインタフェースをつかさどる操作部１４２と、テープカートリッジＣ、印刷ヘッド１２１および印刷送りモータ１２６を有し、処理テープＴおよびインクリボンＲを送りながら処理テープＴ上に入力された文字情報に基づく印刷データを印刷する印刷処理部１１０と、フルカッタ１１５およびこれらを駆動するフルカッタモータ１１６を有し、印刷済みの処理テープＴにフルカットを行う切断部１４３と、テープ識別センサ１２５等の各種センサを有し、各種検出を行う検出部１４４と、ディスプレイドライバ１４５、ヘッドドライバ１４６、印刷送りモータドライバ１４７、カッタモータドライバ１４８を有し、各部を駆動する駆動部１４９と、各部と接続され、テーププリンタ１０１全体を制御する制御部１１７とにより構成されている。
【００３４】
制御部１１７は、ＣＰＵ１５０、ＲＯＭ１５１、ＲＡＭ１５２および入力制御装置１５３（ＩＯＣ：Input Output Controller）を備え、互いに内部バス１５４により接続されている。そして、ＣＰＵ１５０はＲＯＭ１５１内の制御プログラムにしたがって、ＩＯＣ１５３を介してテーププリンタ１０１の各部から各種信号・データを入力する。また、入力した各種信号・データに基づいて、ＲＡＭ１５２内の各種データを処理し、ＩＯＣ１５３を介してテーププリンタ１０１内の各部に各種信号データを出力し、これにより印刷処理の制御等を行う。
【００３５】
以上の構成によると、処理テープＴに対し、様々な編集が可能となる。例えば、装飾付き文字列のラベルを作成する場合について説明する。なお、装飾付き文字列のラベルに印刷される装飾画像１６０とは、地紋画像１６１や網掛画像１６２等のことである。地紋画像１６１は、処理テープ（印刷イメージ２８）Ｔ上の印刷可能領域の全域に印刷されるものであり、網掛画像１６２は、文字列等の文字、文章、行や段落などを個別装飾すべく印刷されるものである。
【００３６】
データ作成装置２の印刷データ作成アプリケーション２０を起動させると、モニタディスプレイ１９には、ラベル作成開始の初期画面である入力編集画面２１が表示される。入力編集画面２１において、マウスポインタ２７を移動させ、かな入力ボタン４１をクリックして、所望の文字列を入力装置１６により入力する。文字列を入力すると、モニタディスプレイ１９の印刷イメージ２８には文字列が表示される。ここで、装飾画像１６０として地紋画像１６１を付する場合は、この後、地紋設定ボタン４３をクリックする。すると、モニタディスプレイ１９には、複数種の地紋画像（データ）１６１の選択肢が表示される地紋選択画面１６５が表示され（図９（ａ）参照）、ユーザは、その状態から、任意の１つの地紋画像１６１を選択する。この後、印刷ボタン３４をクリックすると、印刷データが作成されると共に、テーププリンタ１０１に印刷データが送られ、これに基づいて、テーププリンタ１０１が地紋付き文字列のラベルを作成する。
【００３７】
また、本実施形態に係るデータ作成装置２では、２次元コード画像（データ）を作成することが可能である。つまり、印刷データ作成アプリケーション２０に２次元コードを作成する機能が設けられている。２次元コードとしては、ＱＲコード、Ｍａｘｉコード、Ｖｅｒｉコード、データマトリクス、ＰＤＦ４１７等があるが、本実施形態では、例えば、ＱＲコード（画像）１６３を作成する場合について説明する。図８に示すとおり、ＱＲコード画像１６３は、セル１６６で構成された正方形のデータ領域１６７と、データ領域１６７の三隅に設けられている切り出しシンボル１６８と、データ領域１６７を囲むマージン領域１６９とで構成されている。また、ＱＲコード画像１６３の大きさを設定するパラメータとして、データ量、セル１６６の大きさおよび誤り訂正率等がある。さらに、ＱＲコードの特徴として、分割連結機能を備えている。
【００３８】
ここで、印刷イメージ２８上において、作成したＱＲコード画像１６３に上述した装飾画像１６０が重なってしまうと、ＱＲコード画像１６３の読み取りに際して、支障をきたす虞がある。そこで、本実施形態のデータ作成装置２は、ＱＲコード画像１６３と装飾画像１６０とが重なった場合に、ＱＲコード画像１６３を読み取り可能に配置するよう編集するようにしている。以下、図７のフローチャートを参照して、その制御についてユーザによる操作手順を中心に説明する。
【００３９】
まず、装飾画像１６０として地紋画像１６１を用いた場合、ユーザは、上述のように、入力編集画面２１が表示されている状態で、地紋設定ボタン４３をクリックして、１の地紋画像１６１を選択設定する。この後、ＱＲ（２次元）コード作成ボタン４６をクリックすると、ＱＲコード作成画面１７０が表示される。図９（ｂ）を参照すると、ＱＲコード作成画面１７０には、コード化するデータを入力するデータ入力ウィンドウ１７１と、セル１６６の大きさを設定するセル設定ウィンドウ１７２と、誤り訂正率を設定する訂正率設定ウィンドウ１７３と、が表示される。このＱＲコード作成画面１７０において、ユーザは、各パラメータ、すなわち、入力データ、セル１６６の大きさおよび誤り訂正率を任意に設定して、データ領域１６７とその周りを囲むマージン領域１６９とから成るＱＲコード画像１６３を作成する（Ｓ１）。
【００４０】
ここで、地紋画像１６１は処理テープＴの印刷可能領域全域に設定されているため、作成したＱＲコード画像１６３と選択設定した地紋画像１６１とは、通常重なってしまう（Ｓ２）。このとき、データ作成装置２は、ＱＲコード画像１６３を地紋画像１６１に上書きする（Ｓ３）。
【００４１】
また、装飾画像１６０として網掛画像１６２を用いた場合、入力編集画面２１が表示されている状態で、網掛設定ボタン４４をクリックして、１の網掛画像１６２を選択設定する。この後、ＱＲコード作成ボタン４６をクリックして、ＱＲコード画像１６３を作成する（Ｓ１）。この後、データ作成装置２は、作成したＱＲコード画像１６３と選択設定した網掛画像１６２とが重なっていないかを判別する（Ｓ２）。データ作成装置２が、網掛画像１６２とＱＲコード画像１６３とが重複していると判別すると、網掛画像１６２とＱＲコード画像１６３との重複部分において、ＱＲコード画像１６３を網掛画像１６２に上書きする（Ｓ３）。
【００４２】
所望の編集が完了（Ｓ４）し、ユーザが印刷ボタン３４をクリックすると、データ作成装置２は、印刷データの作成を開始する（Ｓ５）。作成が開始されると、データ作成装置２のＲＡＭ１２の作業領域内で、印刷データを作成し、作成した印刷データは、テーププリンタ１０１のＲＡＭ１５２内に設けられた印刷用バッファ１５５（図６参照）に送られる。テーププリンタ１０１は、その印刷データに基づいて、印刷画像１７５を印刷する。
【００４３】
印刷データの作成が開始されると、先ず、作業領域内に装飾画像１６０のデータを流し込み（Ｓ６）、その後、その他の各画像のデータを流し込む（Ｓ７）。すると、データ作成装置２は、流し込まれた画像のデータがＱＲコード画像１６３のデータであるかどうかの判別を行う（Ｓ８）。データ作成装置２が、ＱＲコード画像１６３のデータでないと判別した場合、装飾画像１６０とその画像とを、論理演算の論理和（ＯＲ）で貼り付ける（Ｓ１０）。また、ＱＲコード画像１６３のデータであると判別した場合は、装飾画像１６０にＱＲコード画像１６３を上書きする（Ｓ９）。つまり、装飾画像１６０よりも、ＱＲコード画像１６３を優先して貼り付ける。なお、ここでは、処理テープＴの下地（例えば、白）を０とし、インクリボン（例えば、黒）Ｒを１として、論理演算処理を行っている。以上のように作成された印刷データを、テーププリンタ１０１に送ると共に、テーププリンタ１０１は、送られた印刷データに基づいて、処理テープＴに印刷画像１７５を印刷する。
【００４４】
以上の構成によれば、図８（ａ）および（ｂ）に示したように、ＱＲコード画像１６３はすでにマージン領域１６９を有しているため、ＱＲコード画像１６３と装飾画像１６０とが重なっても、上書きのみの処理で、ＱＲコード画像１６３を読み取り可能に配置することができる。これにより、ＱＲコード画像１６３の読み取りに支障をきたすことがなく、また、印刷処理による制御を簡易なものとすることができる。
【００４５】
次に、第２実施形態に係るデータ作成装置について説明する。なお、以下の説明では、同様の構成の説明を省略し、相違点のみ説明する。本実施形態のデータ作成装置２は、ＱＲコード画像１６３と装飾画像１６０とが重なった場合に、重複部分の装飾画像１６０を薄刷りするように編集する。
【００４６】
つまり、入力編集画面２１において、装飾画像１６０およびＱＲコード画像１６３が設定され、両画像が重なると、データ作成装置２は、両画像の重複部分の領域を判別すると共に、装飾画像１６０の重複部分のインク濃度を、ＱＲコード画像１６３が読み取れるように薄く設定する。その後、装飾画像１６０の重複部分にＱＲコード画像１６３をＯＲで貼り付ける。これにより、ＱＲコード画像１６３に装飾画像１６０が重なって配置されても、ＱＲコード画像１６３を読み取ることができ、且つ装飾画像１６０の連続性を維持することができる（図８（ｃ）および（ｄ）参照）。
【００４７】
なお、上記の場合、重複部分のみに限らず、装飾画像１６０全体のインク濃度を薄く設定するようにしてもよい。すなわち、図８の（ｅ）および（ｆ）に示すように、データ作成装置２が、ＱＲコード画像１６３と装飾画像１６０とが重なることを判別した時点において、装飾画像１６０全体の濃淡を、ＱＲコード画像１６３が読み取れるように薄くし、装飾画像１６０とＱＲコード画像１６３とをＯＲで貼り付ける。すなわち、装飾画像１６０全体を薄刷りするように編集する。
【００４８】
以上の構成によれば、ＱＲコード画像１６３には、濃淡の薄くなった装飾画像１６０が重なって配置されるが、ＱＲコード画像１６３の読み取りに支障をきたさない程度に薄刷り編集しているため、ＱＲコード画像１６３を読み取り可能に配置することができる。また、ＱＲコード画像１６３のマージン領域１６９にも地紋画像１６１又は網掛画像１６２が貼り付けられるため、作成されたラベルを見栄えのよいものとすることができる。なお、上述した薄刷り編集の制御は一例であって、この制御に限らず、適宜変更してもよい。また、上書き編集と薄刷り編集とを選択可能に構成してもよい。
【００４９】
さらに、上記の例に示した、データ作成装置２の印刷データ作成アプリケーション２０をソフトウェアとして提供することも可能である。また、そのソフトウェアを記憶媒体５に格納して提供することも可能である。記憶媒体５としては、ＣＤ−ＲＯＭ、フラッシュＲＯＭ、メモリカード（コンパクトフラッシュ（登録商標）、スマートメディア、メモリースティック等）、コンパクトディスク、光磁気ディスク、デジタルバーサタイルディスクおよびフレキシブルディスク等を利用することができる。
【００５０】
また、上述では、印刷システム１として構成したが、テーププリンタ１０１に印刷データ作成アプリケーション２０の機能を設け、テーププリンタ１０１を単体として用いて、ＱＲコード画像１６３を作成・編集を行うようにしてもよい。また、本発明の要旨を逸脱しない範囲で、適宜変更できることは言うまでもない。
【図面の簡単な説明】
【００５１】
【図１】本実施形態に係る印刷システムの模式図である。
【図２】データ作成装置のブロック図である。
【図３】印刷データ作成アプリケーションの入力編集画面の模式図である。
【図４】テーププリンタの閉蓋状態における外観斜視図である。
【図５】テーププリンタの開蓋状態における外観斜視図である。
【図６】テーププリンタの制御ブロック図である。
【図７】データ作成装置の制御におけるフローチャート図である。
【図８】（ａ）は、地紋画像にＱＲコード画像を上書き編集して作成したラベルであり、（ｂ）は、網掛画像にＱＲコード画像を上書き編集して作成したラベルであり、（ｃ）は、両画像の重複部分の地紋画像を薄刷り編集して作成したラベルであり、（ｄ）は、両画像の重複部分の網掛画像を薄刷り編集して作成したラベルであり、（ｅ）は、地紋画像全体を薄刷り編集して作成したラベルであり、（ｆ）は、網掛画像全体を薄刷り編集して作成したラベルである。
【図９】（ａ）は地紋選択画面の模式図であり、（ｂ）は、ＱＲコード作成画面の模式図である。
【符号の説明】
【００５２】
１…印刷システム  ２…データ作成装置  ３…印刷装置  １２…ＲＡＭ  １４…ＣＰＵ  ２０…印刷データ作成アプリケーション  ２７…マウスポインタ  ２８…印刷イメージ  ４３…地紋設定ボタン  ４４…網掛設定ボタン  ４６…２次元コード作成ボタン  １０１…テーププリンタ  １５２…ＲＡＭ  １５５…印刷用バッファ  １６０…装飾画像  １６１…地紋画像  １６２…網掛画像  １６３…ＱＲコード画像  １６５…地紋選択画面  １６７…データ領域  １６９…マージン領域  １７０…ＱＲコード作成画面  １７５…印刷画像  Ｔ…処理テープ
【図１】
2007034633.tif 000003
【図２】
2007034633.tif 000004
【図３】
2007034633.tif 000005
【図４】
2007034633.tif 000006
【図５】
2007034633.tif 000007
【図６】
2007034633.tif 000008
【図７】
2007034633.tif 000009
【図８】
2007034633.tif 000010
【図９】
2007034633.tif 000011